(57)【特許請求の範囲】
【請求項１】
表裏面に貫通するケーブル挿通孔を有する支圧板と、該支圧板の片側面に固着されるシースと、前記支圧板の他側面に前記ケーブル挿通孔に位置合わせして固定されケーブルを定着させる定着部材と、該定着部材をカバーして前記支圧板の他側面に固定されるキャップとを少なくとも有してなる落橋防止装置の仮固定用シース組立体を形成し、
前記仮固定用シース組立体を前記シースの開口側端部を型枠に固定することで型枠内に装着し、
前記型枠内にコンクリートを打設し該コンクリートが硬化した後に、前記型枠を脱型させて前記シース開口側端部を開口させ、
前記開口側端部からケーブルを差込み前記定着部材に定着させることにより落橋防止装置を取り付け、
前記仮固定用シース組立体には、定着部材のケーブル嵌合部を防錆するための防錆手段が当該定着部材に着脱自在に嵌合されていて、ケーブルを定着部材に定着させる際に前記防錆手段が撤去されること、
を特徴とする請求項１に記載の落橋防止装置の施工方法。
【請求項２】
シース開口部から定着部材へと差し込まれるケーブルは、その表面に差込量適正位置を示すマークが設けられていて、該マークが所定の位置に到達するまで差し込むこと、
を特徴とする請求項１に記載の落橋防止装置の施工方法。
【請求項３】
表裏面に貫通するケーブル挿通孔を有する支圧板と、該支圧板の片側面に固着されるシースと、前記支圧板の他側面に前記ケーブル挿通孔に位置合わせして固定されケーブルを定着させる定着部材と、該定着部材をカバーして前記支圧板の他側面に固定されるキャップとを少なくとも有してなり、
前記定着部材に取着された仮固定用マンションと、該仮固定用マンションに先端部が固定され後端部がシース開口部から外部に突出して延伸された仮固定用芯棒と、該仮固定用芯棒の後端部を孔から外部へと挿通させると共に型枠に当該仮固定用シース組立体を支持させるための押さえプレートと、が設けられていること、
を特徴とする落橋防止装置の仮固定用シース組立体。
【発明の詳細な説明】
【０００１】
【発明の属する技術分野】
本発明は、例えば、橋梁等に設けられる落橋防止装置の取り付ける際の施工方法とそれに使用する仮固定用シース組立体に関する。
【０００２】
【従来の技術】
従来、落橋防止装置を例えば、橋台と橋桁との間に横架させて取り付けるには、従来例１として、図８（Ａ）に示すように、橋台側の定着部は、当該橋台２６のパラペット２６ａの一部を貫通させて、その背面に定着ナットでケーブル２２を定着させるものであり、まず、橋台２６を施工し、次に、橋桁２４を橋台間に架設した後に、落橋防止装置の定着部材２５を橋桁に固定し、ケーブル２２を測長して架設して前記両定着部間に定着させる。その後に、前記パラペット２６ａの背面にコンクリート等を打設して埋め戻している。
【０００３】
また、従来例２として、図８（Ｂ）に示すように、橋台２６等の下部工と、橋桁等の上部工とが、例えば、年度を跨いで発注されて時期的に間隔を置いて施工される場合には、下部工の施工時に予め落橋防止装置用のケーブル２２を取り付けておくことがある。
【０００４】
【発明が解決しようとする課題】
しかしながら、前記従来例１の場合には、下部工の躯体施工が完了しても、パラペット背面の埋め戻しができず、上部工の施工完了を待って前記パラペット背面の埋め戻しが行われるので、下部工と上部工との施工者が異なる場合には、いずれの施工者が前記パラペット背面の埋め戻しを行うかで問題となる。また、前記従来例２の場合には、落橋防止装置用のケーブルを長期間、垂れ下がったままに放置することになって、品質管理上好ましくなく、更に、上部工の施工の際には、前記ケーブルを上部工の所定の位置に挿入しつつ架設することが極めて困難であるという課題がある。
【０００５】
このほか、図８（Ｃ）に示すように、上部工のホーロー（hollow）スラブ桁２７内（ボイド内部）にケーブルを挿通させることの多い橋梁形式では、ケーブルの取り替えが困難であって、予期せぬ大地震が発生した場合、若しくは、桁に別段異常が見受けられない場合でもケーブル取替えのために桁を壊すことになり、現実には困難であるという課題がある。
本発明に係る落橋防止装置の施工方法と仮固定用シース組立体は、このような課題を解消するために提案されたものである。
【０００６】
【課題を解決するための手段】
本発明に係る落橋防止装置の施工方法の上記課題を解決するための要旨は、表裏面に貫通するケーブル挿通孔を有する支圧板と、該支圧板の片側面に固着されるシースと、前記支圧板の他側面に前記ケーブル挿通孔に位置合わせして固定されケーブルを定着させる定着部材と、該定着部材をカバーして前記支圧板の他側面に固定されるキャップとを少なくとも有してなる落橋防止装置の仮固定用シース組立体を形成し、前記仮固定用シース組立体を前記シースの開口側端部を型枠に固定することで型枠内に装着し、前記型枠内にコンクリートを打設し該コンクリートが硬化した後に、前記型枠を脱型させて前記シース開口側端部を開口させ、前記開口側端部からケーブルを差込み前記定着部材に定着させることにより落橋防止装置を取り付け、前記仮固定用シース組立体には、定着部材のケーブル嵌合部を防錆するための防錆手段が当該定着部材に着脱自在に嵌合されていて、ケーブルを定着部材に定着させる際に前記防錆手段が撤去されることである。
【０００７】
また、シース開口部から定着部材へと差し込まれるケーブルは、その表面に差込量適正位置を示すマークが設けられていて、該マークが所定の位置に到達するまで差し込むことを含むものである。
【０００８】
表裏面に貫通するケーブル挿通孔を有する支圧板と、該支圧板の片側面に固着されるシースと、前記支圧板の他側面に前記ケーブル挿通孔に位置合わせして固定されケーブルを定着させる定着部材と、該定着部材をカバーして前記支圧板の他側面に固定されるキャップとを少なくとも有してなり、前記定着部材に取着された仮固定用マンションと、該仮固定用マンションに先端部が固定され後端部がシース開口部から外部に突出して延伸された仮固定用芯棒と、該仮固定用芯棒の後端部を孔から外部へと挿通させると共に型枠に当該仮固定用シース組立体を支持させるための押さえプレートと、が設けられていることである。
【００１０】
本発明に係る落橋防止装置の施工方法と、その施工に使用する仮固定用シース組立体とによれば、予め仮固定用シース組立体が形成されて、該仮固定用シース組立体が橋台等の下部工で形成されるコンクリート躯体に埋設されるので、該コンクリート躯体の埋め戻しを直ちに施工することができるようになる。よって、上部工の橋桁や箱桁の施工完了を待機して待つ必要が無くなる。
また、ケーブルの取り替えが、片側の一方向から施工できるようになる。
【００１１】
【発明の実施の形態】
次に、本発明に係る落橋防止装置の施工方法と、その施工方法に使用される仮固定用シース組立体について図面を参照して説明する。なお、発明の理解を容易にするため従来例に対応する部分には従来例と同一符号を付けて説明する。
【００１２】
本発明の落橋防止装置の施工方法に使用される仮固定用シース組立体１について説明する。該仮固定用シース組立体１は、図１に示すように、表裏面に貫通するケーブル挿通孔２ａを有する金属製の矩形平板体である支圧板２がある。
【００１３】
前記支圧板２において、便宜的に図１（Ａ）の左側面を裏面２ｂとし、右側面を表面２ｃとすると、片側面の表面２ｃに鋼製のトランペットシース（以下、シース）３が溶接手段により固着されている。該シース３は、両端部が開口した筒体であり、図示のように、右端に向かって拡径して開口されている。
【００１４】
前記支圧板２の裏面２ｂには、前記ケーブル挿通孔２ａに位置合わせして固定されケーブルを定着させる定着部材である定着ナット４が設けられている。該定着ナット４は、支圧板２に回転しないように位置固定され、かつ、脱落しないように保持されるものであるので、図１に示すように、平板体に定着ナット４の外形に合わせた六角孔５ａを有して周り止め用となる固定プレート５と、脱落防止のためのケーブル挿通孔６ａが設けられナット頭部に当接する押さえプレート６と、これらを前記支圧板２に固定する公知手段としてのボルト７・ナット８とが用いられて、支圧板２にネジ孔若しくは挿通孔が所要数設けられている。このほか、全ネジ棒７ａを支圧板２に溶接等で立設して、ナット８で締結したり、前記定着ナット４を支圧板２に溶接手段で溶着して固定したりしても良い。
【００１５】
更に、支圧板２の裏面側に、前記定着ナット４を保護する鋼製キャップ９が設けられる。このキャップ９は、一端側開口部のフランジ部９ａに、例えば、４箇所にボルト孔が設けられ、対応する支圧板２の位置にネジ孔が設けられ、ボルト７により締結されて固定される。なお、前記フランジ９ａと支圧板２との間に、ゴム製等で止水用のパッキン１０が介装される。
【００１６】
前記定着ナット４には、該定着ナット４のネジ部を防錆するための防錆手段として、仮固定用マンション１１が螺着される。当該マンション１１の表面は、亜鉛・アルミニウム擬合金常温溶射によりメッキされていて、高耐久性が確保されている。更に、該仮固定用マンション１１の先端部には、作業性を向上させキズ付きを防止するガイドキャップ１２が被着されている。そして、前記仮固定用マンション１１に溶接手段によって先端部が固定され、且つ、後端部がシース開口部から外部に突出して延伸された仮固定用芯棒１３が設けられる。
【００１７】
前記仮固定用芯棒１３は、この仮固定用シース組立体１の外部から前記仮固定用マンション１１を定着ナット４に、螺着若しくは脱着させるためのものである。この仮固定用芯棒１３の後端部にはネジ部１３ａが刻設されている。
【００１８】
前記仮固定用芯棒１３の後端部を、中央部に設けた孔から外部へと挿通させると共に、型枠に仮固定用シース組立体１を支持させるための金属製の押さえプレート１４が設けられる。該押さえプレート１４は、前記仮固定用芯棒１３の後端部を挿通させる孔が略中央部に設けられた平板体の外側プレート１４ａと、シース開口部と略同じ大きさの開口孔が設けられ、図１（Ｃ）に示すように、型枠に内側から外側にネジ部１５ａを突出させるボルト１５がその頭部を溶接等することで固着してある内側プレート１４ｂとからなる。
【００１９】
前記外側プレート１４ａと内側プレート１４ｂとにより型枠をその間に挟装して、この仮固定用シース組立体１を型枠の内壁面に取り付けるものである。
前記ネジ部１３ａには、図１（Ａ），（ｃ）に示すように、ナット１６が締結されて、前記外側プレート１４ａがシース開口部を閉蓋して内部を保護し、該外側プレート１４ａに前記内側プレート１４ｂがナット１７により取り付けられる。この状態に組み立てられたものが図１に示す仮固定用シース組立体１であり、工場にて予め組み立てられるものである。
【００２０】
こうして、本発明に係る仮固定用シース組立体１が工場にて組み立てられた後に、橋台のパラペット若しくはホーロー（hollow)スラブ桁等に施工して落橋防止装置Ａを取り付ける施工方法を説明する。図２に示すように、コンクリート躯体用の端部型枠１８に、前記仮固定用シース組立体１を取り付ける。
【００２１】
前記端部型枠１８には、仮固定用芯棒１３の後端部を挿通させる孔と、ボルト１５のネジ部を挿通させる取付孔が所定の位置に所要数設けられている。
【００２２】
工場から現場に搬入された前記仮固定用シース組立体１から、ナット１６及びナット１７を外すことにより、外側プレート１４ａを外す。そして、前記端部型枠１８に、内側プレート１４ｂのボルト１５及びネジ部１３ａを該端部型枠１８の取付孔にそれぞれ内側から挿通させて型枠の外側に突出させ、該突出したネジ部１３ａ，１５ａに前記外側プレート１４ａを嵌装させ、且つ、ナット１６及びナット１７を締結することで、仮固定用シース組立体１を取り付けるものである。
【００２３】
このように、端部型枠１８を押さえプレート１４で挟装して略直交方向に仮固定用芯棒１３を設置するので、当該仮固定用芯棒１３（本設ではケーブル）の軸心が所定の勾配の範囲内に収まるように、前記押さえプレート１４には勾配調節に適したフィラープレートが使用される。
【００２４】
その後、図２に示すように、端部型枠１８の内側にコンクリート１９を打設する。該打設したコンクリート１９が所要強度に硬化して、例えば、パラペットが構築された後に、このパラペット背面の埋め戻しを行う。
【００２５】
そして、図３（Ａ），（Ｂ）に示すように、仮固定用芯棒１３のネジ部１３ａに、ナット２０を螺着して、ナット１６とともにＷナットにする。そして、図３（Ｃ）に示すように、前記ナット１６をレンチ２１で左回りに回転させて、仮固定用芯棒１３を同時に左回りに回転させることで、マンション１１を定着ナット４から外す。
【００２６】
その後、ナット１７をボルト１５のネジ部１５ａから外し、端部型枠１８を脱型させるとともに、外側プレート１４ａ及び前記マンション１１をトランペットシース３から取り出す。シース３の開口側端部が開口される。こうして、図４に示す状態となる。
【００２７】
なお、上記下部工の施工が完了した後、上部工の施工をするまでに期間が空く場合には、下部工の者が、端部型枠１８を外しておくが、防錆対策として仮固定用芯棒１３は外さないでおく。そして、外側プレート１４ａをシース開口部に再び取り付けて養生しておく。その後、上部工の者が、施工する際に、前記外側プレート１４、仮固定用芯棒１３を取り外すものである。
【００２８】
次に、コンクリート１９の躯体表面から突出して残っているネジ部１５ａは、切断する。そして、上部工において、鋼製桁等の橋桁を架設した後に、図５に示すように、落橋防止装置におけるケーブル２２をシース開口部から差し込む。このケーブル２２の先端部のマンション２２ａを、ガイドキャップ２２ｂに導かせながら定着ナット４に螺着させる。
【００２９】
ケーブル２２のねじ込み程度は、前記ガイドキャップ２２ｂの先端部がキャップ９の壁面に当接した時点で停止させるが、その目安として、ケーブル２２の表面に、差込量適正位置を示すマーク２２ｃが施されている。このマーク２２ｃが、シース開口端部等の所定の位置に達したときに、ケーブル２２のねじ込みを完了させるものである。
【００３０】
なお、前記ケーブル２２を定着ナット４に螺着させるためにねじ回すには、図６に示すように、ケーブル他側端部のマンション２２ｄにパイロットキャップ２３を装着して、該パイロットキャップ２３の回転用孔２３ａに剛性な棒状のものを差し込んでそれを回転させることで行うものである。
【００３１】
こうして、ケーブル２２を、その一端部をコンクリート１９の躯体に先行して埋設された仮固定シース組立体１に、後施工の橋桁２４側から差し込んで装着し、更に、後端部を橋桁２４側の定着部材２５にも装着して、図７に示すように、落橋防止装置Ａの施工を完了させる。
【００３２】
そして、前記ケーブル２２が地震等で損傷したときや期間経過により取り替える場合には、マンション２２ｄにＷナットを付けてレンチで回して、定着ナット４からマンション１１を外したり、または、ケーブル２２の中間部を圧握して掴み、該ケーブル２２を回して定着ナット４からマンション１１を外したりして、ケーブル２２を仮固定シース組立体１から引き抜くものである。
【００３３】
【発明の効果】
以上説明したように、本発明に係る落橋防止装置の施工方法は、表裏面に貫通するケーブル挿通孔を有する支圧板と、該支圧板の片側面に固着されるシースと、前記支圧板の他側面に前記ケーブル挿通孔に位置合わせして固定されケーブルを定着させる定着部材と、該定着部材をカバーして前記支圧板の他側面に固定されるキャップとを少なくとも有してなる落橋防止装置の仮固定用シース組立体を形成し、前記仮固定用シース組立体を前記シースの開口側端部を型枠に固定することで型枠内に装着し、前記型枠内にコンクリートを打設し該コンクリートが硬化した後に、前記型枠を脱型させて前記シース開口側端部を開口させ、前記開口側端部からケーブルを差込み前記定着部材に定着させることにより落橋防止装置を取り付け、前記仮固定用シース組立体には、定着部材のケーブル嵌合部を防錆するための防錆手段が当該定着部材に着脱自在に嵌合されていて、ケーブルを定着部材に定着させる際に前記防錆手段が撤去されるので、上部工によって後施工される桁側からケーブルを装着できるようになり、例えば、パラペット背面の埋め戻しを下部工において施工できるようになり、また、箱桁に落橋防止装置の一部をセットする場合でも、ケーブルの取り替えが可能となると言う優れた効果を奏するものである。
【００３４】
更に、仮固定シース組立体は工場にて予め組み立てて用意されるので、シースと支圧板との直交性を、ケーブル挿入時まで維持できる等、組立精度を一定の品質に保つことができる。
【００３５】
前記仮固定用シース組立体には、定着部材のケーブル嵌合部を防錆するための防錆手段が当該定着部材に着脱自在に嵌合されていて、ケーブルを定着部材に定着させる際に前記防錆手段が撤去されるので、定着部材の防錆処理がケーブル挿入時まで維持されると言う優れた効果を奏するものである。
更に、シース開口部から定着部材へと差し込まれるケーブルは、その表面に差込量適正位置を示すマークが設けられていて、該マークが所定の位置に到達するまで差し込むので、ケーブル装着の作業性も向上すると言う優れた効果を奏するものである。
【００３６】
本発明に係る仮固定シース組立体は、表裏面に貫通するケーブル挿通孔を有する支圧板と、該支圧板の片側面に固着されるシースと、前記支圧板の他側面に前記ケーブル挿通孔に位置合わせして固定されケーブルを定着させる定着部材と、該定着部材をカバーして前記支圧板の他側面に固定されるキャップとを少なくとも有してなり、前記定着部材に取着された仮固定用マンションと、該仮固定用マンションに先端部が固定され後端部がシース開口部から外部に突出して延伸された仮固定用芯棒と、該仮固定用芯棒の後端部を孔から外部へと挿通させると共に型枠に当該仮固定用シース組立体を支持させるための押さえプレートと、が設けられているので、落橋防止装置におけるケーブルを片側から差し込んで装着できるようになり、下部工と上部工との施工業者が異なっていても、パラペット背面の埋め戻しを上部工の施工を待つことなく先行して行うことができると言う優れた効果を奏するものである。
【００３７】
また、前記仮固定用シース組立体は、定着部材に取着された仮固定用マンションと、該仮固定用マンションに先端部が固定され後端部がシース開口部から外部に突出して延伸された仮固定用芯棒と、該仮固定用芯棒の後端部を孔から外部へと挿通させると共に型枠に当該仮固定用シース組立体を支持させるための押さえプレートとが設けられているので、仮固定用マンションによって定着部材の防錆処理が確保されるとともに、仮固定用芯棒によって外部から前記仮固定用マンションを脱着させることができ、型枠内に取付け固定してコンクリート躯体に埋設させることができると言う優れた効果を奏するものである。
【図面の簡単な説明】
【図１】本発明に係る仮固定シース組立体１の断面図（Ａ）、同側面図（Ｂ）、同一部拡大した断面図（Ｃ）である。
【図２】同本発明に係る仮固定シース組立体１を型枠内にセットしてコンクリートを打設した状態の断面図である。
【図３】同本発明に係る落橋防止装置の施工方法を説明するものであり、仮固定シース組立体１がコンクリート躯体に埋設された状態で、ネジ部１３ａにＷナットを取り付けた説明図（Ａ）、Ｗナット部分の拡大正面図（Ｂ）、同レンチ２１でＷナットのうちナット１６を回してマンション１１を脱着させる様子を示す説明図（Ｃ）である。
【図４】同本発明に係る仮固定シース組立体１において、マンション１１を取り外した状態の断面図である。
【図５】同本発明に係る仮固定シース組立体１において、ケーブルをシース開口部から差し込む様子を示す説明図である。
【図６】ケーブル２２をねじ回す様子を示す説明図である。
【図７】本発明に係る仮固定シース組立体１を用いて落橋防止装置を取り付けた状態の側面図である。
【図８】従来例に係る、落橋防止装置の取付形態を示す説明図（Ａ），（Ｂ），（Ｃ）図である。
【符号の説明】
１          仮固定シース組立体、      ２          支圧板、
２ａ        ケーブル挿通孔、          ２ｂ        裏面、
２ｃ        表面、                    ３          トランペットシース、
４          定着ナット、              ５          固定プレート、
５ａ        六角孔、                  ６          押さえプレート、
７          ボルト、                  ７ａ        全ネジ棒、
８          ナット、                  ９          鋼製キャップ、
１０        パッキン、                １１        仮固定用マンション、
１２        ガイドキャップ、          １３        仮固定用芯棒、
１３ａ      ネジ部、                  １４        押さえプレート、
１４ａ      外側プレート、            １４ｂ      内側プレート、
１５        ボルト、                  １５ａ      ネジ部、
１６        ナット、                  １７        ナット、
１８        端部型枠、                １９        コンクリート、
２０        ナット、                  ２１        レンチ、
２２        ケーブル、                ２２ａ      マンション、
２２ｂ      ガイドキャップ、          ２２ｃ      マーク、
２２ｄ      マンション、              ２３        パイロットキャップ、
２４        橋桁、                    ２５        定着部材、
２６        橋台                      Ａ          落橋防止装置。
【図１】
0003958105.tif 000002
【図２】
0003958105.tif 000003
【図３】
0003958105.tif 000004
【図４】
0003958105.tif 000005
【図５】
0003958105.tif 000006
【図６】
0003958105.tif 000007
【図７】
0003958105.tif 000008
【図８】
0003958105.tif 000009